(57)【特許請求の範囲】
【請求項１】
使用者の頭を覆うために滑らされるように意図された可撓性のバッグ(２)と、この可撓性のバッグの内側容量室に開口している出口オリフィス(４)を備え、この出口オリフィス（４）が、除去可能又は計画的に破断されるストッパー(５)により閉じられている、加圧された酸素用のリザーバ(３)とを具備する呼吸保護フードにおいて、
前記加圧された酸素用のリザーバ(３)は、２つの互いに独立した収容用の区画室（６，７）を有し、これら区画室のうちの第１の区画室（６）は、前記出口オリフィス(４)と連通しており、又、第２の区画室（７）は、分離体の開口のための部材（８、９，１０）を備えた流体密の分離体を介して出口オリフィス（４）とは分離されており、
前記開口のための部材（８、９）は、前記第２の区画室（７）と出口オリフィス（４）との間の流体の連通を阻止する第１の形態と、前記第２の区画室（７）と出口オリフィス（４）との間の流体の連通を可能にする第２の形態との間で切り替え可能であり、
前記開口のための部材（８、９，１０）は、前記第１の区画室（６）と第２の区画室（７）との間の圧力差に対して敏感に反応し、第２の区画室（７）と第１の区画室（６）との間の圧力差が、所定の閾値よりも大きくなったときに、前記第１の形態から前記第２の形態に自動的に切り替わるように構成されている、ことを特徴とするフード。
【請求項２】
前記開口のための部材（８、９，１０）を備えた流体密の分離体は、前記リザーバ（３）内の前記２つの収容用の区画室（６，７）に対して共通の境界部を形成し、前記第２の形態のときに、前記第２の区画室（７）は、第１の区画室（６）と連通する、ことを特徴とする請求項１のフード。
【請求項３】
前記開口のための部材は、流体密の破断ディスク（８）を有し、この破断ディスクの２つの面は、夫々前記第１の区画室（６）と第２の区画室（７）とに連通しており、前記破断ディスク（８）は、２００バールと５０バールとの間の、好ましくは、１５０バールと１００バールとの間の圧力差に晒されたときに、破断するように構成されている、ことを特徴とする請求項１又は２のフード。
【請求項４】
前記破断ディスク（８）は、前記第１の区画室（６）と第２の区画室（７）との流体密の分離帯を構成していることを特徴とする請求項３のフード。
【請求項５】
前記開口のための部材は、前記第１の区画室（６）と第２の区画室（７）との間の流路オリフィス（１１）の閉成位置へと復帰部材（１０）により付勢されている可動のシャッター（９）を有していることを特徴とする請求項１又は２のフード。
【請求項６】
前記シャッター（９）は、前記第２の区画室（７）内の圧力が、前記第１の区画室（６）内の圧力を超えたときに、第２の区画室（７）に収容されているガスの圧力により発生され、流路オリフィス（１１）を開成させる力に晒される、前記シャッター（９）は、前記第２の区画室（７）と第１の区画室（６）との間の圧力差が、所定の閾値よりも大きくなったときに、前記第２の形態に対応した開成の位置へと移動される、ことを特徴とする請求項５のフード。
【請求項７】
前記可撓性のバッグ(２)は、流体に対して密閉されることを特徴とする請求項１乃至６のいずれか１項のフード。
【請求項８】
前記酸素用のリザーバ(３)は、前記可撓性のバッグ(２)のベースに装着されていることを特徴とする請求項１乃至７のいずれか１項のフード。
【請求項９】
前記酸素用のリザーバ(３)は、使用者の首の回りに位置付けられるのを可能にするように、全体に渡ってチューブ状の形状を有していることを特徴とする請求項１乃至８のいずれか１項のフード。
【請求項１０】
前記可撓性のバッグ(２)のベースは、使用者の首の回りにフイットされるように意図された可撓性の膜を形成していることを特徴とする請求項１乃至９のいずれか１項のフード。
【発明の詳細な説明】
【技術分野】
【０００１】
本願発明は、呼吸保護装置に関する。  
本願発明は、使用者の頭を覆うために滑らされるように意図された可撓性のバッグと、この可撓性のバッグの内側容量室に開口している校正オリフィスを備え、この出口オリフィスが、除去可能又は計画的に破断されるストッパーにより閉じられている、加圧酸素用のリザーバとを備えた呼吸保護に関する。
【背景技術】
【０００２】
スタンダードTSO-C-116aに適用する必要があるこの種装置は、航空機に搭載され、キャビンの雰囲気が異常になったときに(圧抜き、煙、化学剤、等)、一般に使用される。
【０００３】
前記フードは、航空機搭乗員が問題に取り組むことを極めて可能し、乗客を緊急に保護し、航空機の潜在的な避難を管理する。
【０００４】
フードと称されているこのような装置は、航空機搭乗員が問題に取り組むことと、乗客に緊急の助けをなすことと、航空機の潜在的な排気を管理することとを可能にすることを特に必要としている。
【０００５】
このような装置のための技術的な仕様は、使用(飛行中の損傷や、高い高度、低酸素、地上への緊急の避難に対する保護、等)のクラスに従って規定されている。
【０００６】
これらクラスの各々は、装置を使用しているときに、使用者が、持続できることを必要とする努力の対応したレベルと関連している。
【０００７】
使用者が消費する酸素の量は、持続される努力に比例しているので、装置は、使用の要求に合うように充分な酸素を使用者に供給できることを必要としている。
【０００８】
フードは、特に、４０ ０００フィート（１２１２０キロメートル）の高度で、これが装着された後での２分間の低酸素を防止するためと、使用での最後の数分での避難を可能にするのに充分な酸素の供給との、両方のために設けられ得る。
【０００９】
知られた呼吸保護装置は、主として、以下の２つのタイプの酸素源を使用している。  
・燃焼により酸素を発生する化学ブリック(又、「化学的酸素発生物」と称されている)(超酸化カリウム−ＫＯ２、塩素酸ナトリウム−ＮａＣｌＯ３、等)、又は、
・校正オリフィス(calibrated orifice)に関連付けされた圧縮酸素用のリザーバ。
【００１０】
前記第１のタイプは、酸素の流量が、燃焼の終わりで急に低下する前で、比較的一定のレベルに達するまで、増加するように酸素を供給することを可能にしている。
【００１１】
化学酸素ジェネレータタイプのジェネレータは、正確なサイズを有していれば、酸素源を構成し得る。この酸素源は、所望の要求に合わせることが可能であるが、この解決は、酸素ジェネレータの燃焼反応が高い発熱反応であるという重要な欠点を有している。
【００１２】
この結果として、装置の外面の温度は、簡単に２００℃を超えてしまい、この装置に接触している如何なる可燃焼性の材料も燃焼し得る(致命的な事故は、航空機の貨物室の中に置かれた搬送コンテナーの中の化学酸素ジェネレータの偶発的な事故の前に、既に生じてしまう)。
【００１３】
このタイプの装置は、又、酸素の流量が始動から高くなるまでには、所定の時間が必要である欠点を有している。この結果、始動のための更なる酸素キャパシティの追加が必須となっている。最後に、このような装置は、酸素発生反応により発生される不純物を除去するために、フィルターが必要である。
【００１４】
前記第２のタイプは(校正オリフィスに関連付けされた加圧酸素リザーバ)は、リザーバ内の圧力に比例して指数的に減少する流量の酸素を供給する。
【００１５】
かくして、この第２のタイプのフードは、一般的に、１５分間酸素が個々に供給され得る酸素源を有している。この装置は、又、フード内の圧力を制限するための手段(例えば、過圧リリーフバルブ)を有している。
【００１６】
校正オリフィスと関連付けられ、シールされたコンテナー内の圧縮された酸素を使用する技術は、比較的安全である。しかし、所定の使用のシナリオ(例えば、航空機の緊急の排気に対応した使用の最後での実質的な酸素消費)に合わせることができるようにするためには、コンテナーは、目的のサイズのために非常に大きい容量を有する必要がある。他の解決は、高い初期圧力(２５０バール以上)をあたえことによりなされ得る。これは、使用の最後で充分な流量(例えば、装置の使用の１／１５分で、２Ｎ１／分よりも高い)を有することができるように、例えば、１０ノルマルリットル／分(Ｎ１／分)よりも大きい高初期圧力を発生する。しかし、過度の酸素の流量は、低酸素症に対しては保護できる効果があるけれども、過度の酸素は、装置の過度のリリーフバルブを通って装置から排出され、炎を生じさせる恐れがあるので、航空機に火がある場合には、問題である。更に、酸素のリザーバを大きいサイズにしなければならず、このことは、質量、サイズ、コストの面で重要な欠点である。
【発明の概要】
【００１７】
本願発明は、加圧された酸素のリザーバを使用しているフードに関している。  
本願発明の目的は、従来技術の上述した欠点の全て又は幾つかを改善することである。
【００１８】
本願発明の１つの目的は、使用の最初に比較的多量の酸素を供給することを可能にし（高い高度での低酸素を防止するために）、同時に、排気を許容するように使用の終わりに充分な量の酸素を供給することを可能にする（１０又は１５分の後）フードを提供することを特に可能にすることである。
【００１９】
この目的のために、本願発明に係わるフードは、上記上位概念で与えられた一般的な限定に従った他の態様では、加圧酸素用のリザーバは、２つの互いに独立した収容用の区画室を有し、これら区画室のうちの第１の区画室は、前記出口オリフィスと連通しており、又、第２の区画室は、分離体の開口のための部材を備えた流体密の分離体を介して出口オリフィスとは分離されており、前記開口のための部材は、前記第２の区画室と出口オリフィスとの間の流体の連通を阻止する第１の形態と、前記第２の区画室と出口オリフィスとの間の流体の連通を可能にする第２の形態との間で切り替え可能であり、前記開口のための部材は、前記第１の区画室と第２の区画室との間の圧力差に対して敏感に反応し、第２の区画室と第１の区画室との間の圧力差が、所定の閾値以下になったときに、前記第１の形態から前記第２の形態に自動的に切り替わるように構成されている、ことを特徴としている。
【００２０】
更に、本願発明の実施の形態は、以下の１又は複数の特徴を有し得る。  
・前記開口のための部材を備えた流体密の分離体は、前記リザーバ内の前記２つの収容用の区画室に対して共通の境界部を形成し、前記第２の形態のときに、前記第２の区画室は、第１の区画室と連通する。
【００２１】
・前記開口のための部材は、流体密の破断ディスクを有し、この破断ディスクの２つの面は、夫々前記第１の区画室と第２の区画室とに連通しており、前記破断ディスクは、２００バールと５０バールとの間の、好ましくは、１５０バールと１００バールとの間の圧力差に晒されたときに、破断するように構成されている。
【００２２】
・前記破断ディスクは、前記第１の区画室と第２の区画室との流体密の分離帯を構成している。
【００２３】
・前記開口のための部材は、前記第１の区画室と第２の区画室との間の流路オリフィスの閉成位置へと復帰部材により付勢されている可動のシャッターを有している。
【００２４】
・前記シャッターは、前記第２の区画室内の圧力が、前記第１の区画室内の圧力を超えたときに、第２の区画室に収容されているガスの圧力により発生され、流路オリフィスを開成させる力に晒される、前記シャッターは、前記第２区画室と第１の区画室との間の圧力差が、所定の閾値よりも大きくなったときに、前記第２の形態に対応した開成の位置へと移動される。
【００２５】
・可撓性のバッグは、流体に対して密閉される。
【００２６】
・前記酸素用のリザーバは、前記可撓性のバッグのベースに装着されている。
【００２７】
・前記酸素用のリザーバは、使用者の首の回りに位置付けられるのを可能にするように、特にＣ形状に形成され、全体に渡ってチューブ状の形状を有している。
【００２８】
・前記可撓性のバッグのベースは、使用者の首の回りにフイットされるように意図された可撓性の膜を形成している。
【００２９】
・このフードは、バッグの内部と連通しているＣＯ２吸収装置を有している。
【００３０】
・前記バッグは、開口を有し、この開口を通ってＣＯ２吸収装置が配置される。
【００３１】
・各区画室は、０．１リットルと０．４リットルとの間の容量を有している。
【００３２】
・開成される前に、各区画室は、１０gと８０gとの間の酸素リッチガス又は純粋の酸素を収容している。
【００３３】
・前記校正オリフィスは、０．０５mmと０．１mmとの間の直径を有している。
【００３４】
本願発明は、又、上記又は下記の特徴の如何なる組合せを含んだ如何なる異なる方法又は装置に関し得る。
【００３５】
他の特徴及び効果は、以下の図を参照して与えられている以下の説明から明らかであろう。
【図面の簡単な説明】
【００３６】
【図１】図１は、本発明に係わるフードの一例を示している概略図であり、顔に被せられた状態を示している。
【図２】図２は、加圧された酸素用のリザーバの第１の実施の形態を示しており、図１のフードの詳細を部分的に概略図である。
【図３】図３は、従来技術に係わるリザーバと図２に係わるリザーバとによる時間の関数として供給される酸素の流量の曲線の比較のための例を示している。
【図４】図４は、加圧された酸素用のリザーバの第２の可能な実施の形態を示している、図１のフードの詳細を概略的かつ部分的に示している。
【図５】図５は、時間の関数としての、図４のリザーバにより供給される酸素の流量の曲線の例を示している。
【発明を実施するための形態】
【００３７】
図１に示されたフードは、一般的な方法で、使用者の頭を覆うように滑らされるように意図された可撓性のバッグ２(好ましくは、流体に対して気密)を有している。透明なバイザー１３がバッグ２の前面に設けられている。このフード１は、又、例えばバッグ２のベースに配置された圧縮酸素用のリザーバ３を有している。
【００３８】
通常の方法で、可撓性のバッグ２のベースは、シールをするように使用者の首の回りにフイットされるように意図された可撓性の膜を有し又は形成し得る。
【００３９】
通常の方法で、このフード１は、使用者から吐き出されたＣＯ２を除去するように、バッグ２の内部と連通しているＣＯ２吸収装置を有し得る。例えば、バッグ２は、ＣＯ２吸収装置が中を横切るように配置される開口を有し得る。同様に、他の開口が、バッグ２内の過度の圧力を防ぐために設けられたリリーフ弁１４のために設けられ得る。
【００４０】
図１に示されているように、酸素用のリザーバ３は、これが使用者の首の回りに位置付けられるのを可能にするように、特にＣ形状に形成され、全体に渡ってチューブ状の形状を有している。
【００４１】
図２に示されているように、前記リザーバ３は、流体気密用のストッパー５により閉じられており、使用者に純粋のガス状酸素、又は酸素リッチガスを与えるように、可撓性のバッグ２の内側容量室に開口している出口オリフィス４を有している。
【００４２】
前記出口オリフィス４は、除去可能又は計画的に破断されるストッパー５により通常は閉じられ、そして、使用のときにのみ開かれる。
【００４３】
１つの効果のある形態に係われば、加圧された酸素用のリザーバ３は、２つの独立し、別々の区画室６，７を有している。第１の区画室６は、校正（calibrated）出口オリフィス４と連通しており、又、第２の区画室７は、流体密の分離体を介して出口オリフィス４とは分離されている。この分離体は、分離体の自動的な開口のための部材８を備えている。
【００４４】
上述したことは、フード１が駆動されているとき（校正オリフィス４のストッパー５が開かれているとき）には、第１の加圧された酸素用の区画室６のみが空になるであろう、ということである。
【００４５】
前記開口する部材８は、第２の区画室７と出口オリフィス４との間の流体的連通を阻止する（駆動のスタートのとき）第１の形態と、第２の区画室７と出口オリフィス４との間の流体的連通を可能にする（第１の区画室６の圧力が所定のレベルまで低下したとき）第２の形態との間で切り替え可能である。
【００４６】
この目的のために、前記開口する部材は、第２の区画室７と第１の区画室６との間の圧力差に対して敏感に反応し、第２の区画室７と第１の区画室６との間の圧力差が、所定の閾値以下になったときに、第１の形態から第２の形態に自動的に切り替わるように構成されている。図２の例では、開口する部材は、２つの面が、第１の区画室６と第２の区画室７とに夫々通じている流体密の破断ディスク８により構成されている。この破断ディスク８は、２００バールと５０バールとの間の、好ましくは、１５０バールと１００バールとの間の圧力差に晒されたときに、既知の方法で破断するように構成されている。
【００４７】
如何なる限定を意味するものではないが、前記破断ディスク８は、（粉砕のリスクを減じるために）、例えば、刻み目が形成されたドーム形状（scored and domed type）の破断ディスクで有り得、例えばステンレススチールのような酸素にやさしい材料で形成され得る（例えば、"Fike POLY-SD"の名称で市販されている破断ディスク）。
【００４８】
図２に示されているように、前記破断ディスク８は、２つの区画室６，７を規定し、かつ分ける流体密の分離体を形成し得る。このディスク破断ディスク８が、破断された後には、第２の区画室７と第１の区画室６とが連通して、リザーバ３の中に残っている加圧されたガスのための単一の同じ容量室を形成する。
【００４９】
後で詳述されるように、このようなデザインは、フード１の使用のスタートでのガスの高い流量での吐出を可能にし、また、同時に使用のエンド（例えば、１０乃至１５分後）での充分な流量の供給を可能にしている。
【００５０】
使用のスタートでの比較的高い流量は、バッグ２により形成され、シールされた容量室が、酸素で満たされることを可能にし、供給された流量が急速に低下する前に、酸素の保持部を構成するであろう。使用者は、供給される酸素の流量が比較的低くなっても、数分間は、この保持部の酸素を吸うことができるであろう。かくして、ディスクの破断は、流量の更なる増加を与えるきっかけとなって、使用の期間（例えば、１５分）を充分に満たすであろう酸素の保持部を再び構成する。
【００５１】
図３は、ノルマルリットル（Ｎ１、即ち、０℃及び１アトムの所定の温度及び圧力の基での分当たりのリットル数）で、校正オリフィス４の出口でのガスの流量Ｑを、従来技術に係わる時間（秒（ｓ））の関数として、示す減衰曲線を連続線で示している。分当たり数ノルマルリットルで供給される流量Ｑが、展開する方法は、タイプＱ（ｔ）＝Ａｅ−Ｂｔの指数式として
モデル化され得る。ここで、Ａ及びＢは、校正オリフィスの直径と、リザーバの容量と、ガスの量及び性質と、ガスの温度との関数である定数である。
【００５２】
この例は、例えば、次の状態、即ち、０．２６リットルのリザーバの容量、５８ｇの純酸素の量、及び、０．０６mmに等しい直径を有する構成オリフィス、に対応している。
【００５３】
供給される酸素の流量が、最初の数分の間充分であるけれども、約１０分の後には、供給される酸素の流量は、毎分２Ｎ１以下に低下することになることが、判り得る。
【００５４】
三角形の曲線は、図２に従ったリザーバの第１の例に係わる校正オリフィスの出口での供給された酸素の流量Ｑの変化を示している。２つの区画室６，７を備えたリザーバ３は、例えば、２つの区画室に分けられてはいるが、前と同じ量のガスを収容しており、又、校正オリフィス４は、同じ直径（０．０６mm）を有している。
【００５５】
前と同じ初期流量値（約４．５Ｎ１／秒）からスタートし、そして、流量は、指数タイプの曲線に従って最初で減じる。従来技術に従った曲線よりも僅かに低いこのような最初の曲線は、リザーバの第１の区画室６が空のときに対応している。第１の区画室６内の圧力が、所定の低い閾値に達したときに、ディスク８は、破断する（図３でｔ＝約６００秒のとき）。ディスク８の２つの面間の圧力差により、ディスクが破断するとこにより、２つの区画室６，７は、連通した状態になる。
【００５６】
第２の区画室７は、校正オリフィス４の所での圧力の、かくしてリザーバ３により供給されるガスの流量の、急激な増加をもたらす更なる量のガスを供給する。かくして、ガスの流量は再び減少する（例えば、指数で表された図３の第２の減衰曲線）。
【００５７】
円で示す２つの曲線は、ディスク８が破断する瞬間をシフトするように動作状態を変えることによる、図２に係わる２つの区画室のリザーバ３の空の他の例を示している。
【００５８】
特に、区画室６，７の容積の値と、この中に収容されるガスの量と、破断ディスクのレート（rating）とを大きく変えることにより、ディスク８が破断する瞬間をシフトし、要求されるように流量曲線の値を変更することが可能である。かくして、例えば、総計で最後の１５分の空の時間に対して、もし、第１の区画室６が、リザーバの総容量の２／３を、又第２の区画室７が、最後の１／３を有しているのであれば、ディスク８の破断は、１５分の空の時間の行程の多かれ少なかれ２／３（即ち、オリフィス４の開口の後の約１０分）で生じるであろう。
【００５９】
勿論、相対的な容量のみが、ディスク８が破断する瞬間に影響を与えるパラメータではない。特に、破断のこの瞬間は、又、ディスク８のレートと、両区画室内の初期圧力のレベル（例えば、２つの区画室を異なる初期圧力でガスを満たすことが可能である）とに大きく依存している。
【００６０】
三角形で印された曲線の流量を得ることを可能にするある構成は、次のようになされ得る。即ち、最初は、各々が酸素の１６０バールの圧力レベルである同じ容量（０．１２５ｌ）の２つの区画室と、圧力差が１４０バールに達したときら破断するディスクと、０．０６mmの直径を有する校正オリフィス（オリフィスプレート）とにより構成され得る。
【００６１】
丸で印された曲線の流量を得ることを可能にするある構成は、次のようになされ得る。即ち、最初は、各々が１６０バールの初期圧力で、同じ容量０．１２５ｌの２つの区画室と、圧力差が１２０バールに達したときら破断する破断ディスク８とにより構成され得る。
【００６２】
これら曲線から判るように、提案された構造は、リザーバのコスト又は質量の顕著な増加が無く、もしくは、全体（破断ディスクは、安全部材として使用されるので、これは信頼性がある）の信頼性を大きく損なうことが無く、装置の使用の時間全体に渡って比較的柔軟な酸素の供給することを可能にしている。
【００６３】
フード１の中の酸素のレベルがリザーバ２により供給される酸素の流量の関数として展開する行程は、モデルを使用して計算され得る。
【００６４】
連続して駆動される２つ（又は、３つ以上）の区画室を備えた提案された構造は、数分でフード１の内側容量空間を満たす、かくして、ディスクが破断するまで酸素の充分な保持部を構成する、のに充分な初期流量を生じさせることを可能にしている。特に、第１の区画室６内の同じ初期圧力に対して、ガスの初期流量は、たった１つの区画室を備えたコンテナーに対するのと同じであろう。
【００６５】
第１の区画室６からのガスのこの流量は、充分な急速で減じるであろう（なぜなら、第１の区画室は、従来技術に係わる単一のリザーバよりも比較して小さいからである）。このことは、過圧リリーフバルブを通って排出される酸素の量を制限することを可能にしている。この結果、使用のスタートでの外への酸素を多く含んだガス状の混合物の排出を制限することにより、使用のエンドでのフード内の利用可能な酸素の量を多くすることが可能になっている。これは、時間の経過の全体に渡っての酸素の供給を最適にすることを可能にしている。
【００６６】
従来技術の解決で、供給されるガスの流量は、使用の最初の数分（２分と３分との間）でフードの内側容量空間を満たし、かくして、装置の中に注入される過度の酸素のかなりの量が、リリーフバルブを通って排出され、かくして、使用されないであろう。上述された構成は、排出される酸素の量を良好に計量（better metering）することにより、従来技術の解決の欠点を避けることを可能にしている。
【００６７】
このようなリザーバ３は、一方が、校正オリフィス４が適合された一端部と充填ポートとを備えており、他方の区画室７が、又、充填オリフィス（簡単にするために図示されていない）を備え得る、同じ直径の２つのチューブにより構成され得る。
【００６８】
勿論、２つの区画室６，７の充填の間に、２つの区画室６，７間の圧力差が、ディスク８を破断するようなレベル未満であることが必要である。
【００６９】
フイルターが、破断されたディスク８の破片が回遊するのを防止するように（特に、火炎のリスクのために）、校正オリフィス４の側で、リザーバ３内に設けられ得る。
【００７０】
図４は、加圧されたガス用のリザーバが、２つの区画室６，７間に破断ディスク８を有していないが、流路のオリフィス１１に対して移動可能な可動シャッター９を有している、本願発明の実施の形態の他の例を示している。前述した部材と同じ部材は、同じ参照符号が付されている。図示されているように、充填オリフィス１５が、第２の区画室７に設けられ得る。
【００７１】
上述したことは、２つの区画室６，７間の開口のための部材は、第１の区画室６と第２の区画室７との間の流路オリフィス１１の閉成位置へと復帰部材１０（例えば、ばね）により付勢されている可動シャッター９を有していることである。
【００７２】
更に、前記シャッター９は、第２の区画室７内の圧力が、第１の区画室６内の圧力を超えたときに、流路オリフィス１１を開成させる力に晒される。２つの区画室６，７間の圧力差が充分に大きくなったとき（所定の閾値を超えたとき）には、開成のための力は、ばね１０により与えられる閉成のための力を超える。
【００７３】
図５は、上記構成のための時間の関数としての校正オリフィス４の出口の所での流量Ｑの曲線の例を示している。
【００７４】
最初に、校正オリフィス４の開成の後に、シャッター９が閉成位置にあるので、第１の区画室６のみが空となる。流量は、指数表示の曲線に沿って減少する（図５で時間Ａ）。
【００７５】
この後、シャッター９は、閉成の力（ばね）と開成の力（シャッター９の両側間の圧力差）との反対方向の力間の釣り合いが生じることにより、開成と閉成との往復動がスタートし得る。流量は、この変動の間（図５で時間Ｂ）の間、比較的一定である。
【００７６】
次に、第１の区画室６内の圧力の低下により、シャッター９は、シャッター９に対する圧力差により発生された開成のための力が、ばね１０の閉成のための力を超えるので、最終的には開成する。第２の区画室７内の圧力が減少し、均衡化のポイントがシフトする。校正出口オリフィス４からでるガスの流量は減少し、往復動が生じている（図５の時間Ｃ）。
【００７７】
最後に、第２の区画室７の内の圧力は、ばね１０の閉成のための力に抗するためには、非常に低くなる。この結果、シャッター９は、閉成位置に止どまり、第１の区画室６からのガスの流量は、例えば、指数的に、減少する（図５の時間Ｄ）。
【００７８】
このような構成は、所定の時間（図５の時間Ｂ）の全体に渡ってガスの比較的一定の流量を発生させることを可能にする。
【００７９】
しかし、この解決は、第２の区画室７内に少量の酸素を留まらせる重要な欠点を有している。しかし、シャッター９のばね１０のばね定数を小さくすればするほど、留まる酸素の量は少なくなるであろう。更に、ばね１０のばね定数を小さくすればするほど、ステージＢ及びＣは、長くなるであろう。
以下に、出願当初の特許請求の範囲に記載の事項を、そのまま、付記しておく。
［１］  使用者の頭を覆うために滑らされるように意図された可撓性のバッグ(２)と、この可撓性のバッグの内側容量室に開口している出口オリフィス(４)を備え、この出口オリフィス（４）が、除去可能又は計画的に破断されるストッパー(５)により閉じられている、加圧された酸素用のリザーバ(３)とを具備する呼吸保護フードにおいて、
前記加圧酸素用のリザーバ(３)は、２つの互いに独立した収容用の区画室（６，７）を有し、これら区画室のうちの第１の区画室（６）は、前記出口オリフィス(４)と連通しており、又、第２の区画室（７）は、分離体の開口のための部材（８、９，１０）を備えた流体密の分離体を介して出口オリフィス（４）とは分離されており、
前記開口のための部材（８、９）は、前記第２の区画室（７）と出口オリフィス（４）との間の流体の連通を阻止する第１の形態と、前記第２の区画室（７）と出口オリフィス（４）との間の流体の連通を可能にする第２の形態との間で切り替え可能であり、
前記開口のための部材（８、９，１０）は、前記第１の区画室（６）と第２の区画室（７）との間の圧力差に対して敏感に反応し、第２の区画室（７）と第１の区画室（６）との間の圧力差が、所定の閾値以下になったときに、前記第１の形態から前記第２の形態に自動的に切り替わるように構成されている、ことを特徴とするフード。
［２］  前記開口のための部材（８、９，１０）を備えた流体密の分離体は、前記リザーバ（３）内の前記２つの収容用の区画室（６，７）に対して共通の境界部を形成し、前記第２の形態のときに、前記第２の区画室（７）は、第１の区画室（６）と連通する、ことを特徴とする［１］のフード。
［３］  前記開口のための部材は、流体密の破断ディスク（８）を有し、この破断ディスクの２つの面は、夫々前記第１の区画室（６）と第２の区画室（７）とに連通しており、前記破断ディスク（８）は、２００バールと５０バールとの間の、好ましくは、１５０バールと１００バールとの間の圧力差に晒されたときに、破断するように構成されている、ことを特徴とする［１］又は［２］のフード。
［４］  前記破断ディスク（８）は、前記第１の区画室（６）と第２の区画室（７）との流体密の分離帯を構成していることを特徴とする［３］のフード。
［５］  前記開口のための部材は、前記第１の区画室（６）と第２の区画室（７）との間の流路オリフィス（１１）の閉成位置へと復帰部材（１０）により付勢されている可動のシャッター（９）を有していることを特徴とする［１］又は［２］のフード。
［６］  前記シャッター（９）は、前記第２の区画室（７）内の圧力が、前記第１の区画室（６）内の圧力を超えたときに、第２の区画室（７）に収容されているガスの圧力により発生され、流路オリフィス（１１）を開成させる力に晒される、前記シャッター（９）は、前記第２区画室（７）と第１の区画室（６）との間の圧力差が、所定の閾値よりも大きくなったときに、前記第２の形態に対応した開成の位置へと移動される、ことを特徴とする［５］のフード。
［７］  前記可撓性のバッグ(２)は、流体に対して密閉されることを特徴とする［１］乃至［６］のいずれか１項のフード。
［８］  前記酸素用のリザーバ(３)は、前記可撓性のバッグ(２)のベースに装着されていることを特徴とする［１］乃至［７］のいずれか１項のフード。
［９］  前記酸素用のリザーバ(３)は、使用者の首の回りに位置付けられるのを可能にするように、特にＣ形状に形成され、全体に渡ってチューブ状の形状を有していることを特徴とする［１］乃至［８］のいずれか１項のフード。
［１０］  前記可撓性のバッグ(２)のベースは、使用者の首の回りにフイットされるように意図された可撓性の膜を形成していることを特徴とする［１］乃至［９］のいずれか１項のフード。
【図１】
0006377731.tif 000002
【図２】
0006377731.tif 000003
【図３】
0006377731.tif 000004
【図４】
0006377731.tif 000005
【図５】
0006377731.tif 000006